(57)【要約】【課題】予め決められた量の体液が患者から抜かれたことを検知し、その後の処置への移行を容易にすることができる体液量検知装置を提供する。【解決手段】体液量検知装置１０は、患者からチューブＴを介して抜かれた体液が容器１２に溜まったことを検出するための第１のセンサ２０と、第１のセンサ２０が出力した第１の信号に基づいてアラームを出力する制御器２４と、を備え、第１のセンサ２０が、容器１２の側面に取り付けられ体液の液面の高さを検出するレベルセンサである。【選択図】図１
0003211034.tif 000002
【実用新案登録請求の範囲】
【請求項１】
患者からチューブを介して抜かれた体液が容器に溜まったことを検出するための第１のセンサと、
前記第１のセンサが出力した第１の信号に基づいてアラームを出力する制御器と、を備えた体液量検知装置。
【請求項２】
請求項１記載の体液量検知装置において、
前記第１のセンサが、前記容器の側面に取り付けられ前記体液の液面の高さを検出するレベルセンサである体液量検知装置。
【請求項３】
請求項２記載の体液量検知装置において、
前記第１のセンサが前記容器の予め決められた位置に取り付けられていることを検出する第２のセンサを更に備え、
前記制御器が、前記第２のセンサが出力した第２の信号に基づいてアラームを出力する体液量検知装置。
【請求項４】
請求項３記載の体液量検知装置において、
前記チューブの内部を流れる前記腹水の流路を開閉する開閉器を更に備え、
前記制御器が、前記第１の信号又は前記第２の信号の少なくとも一方に基づいて、前記開閉器を制御して前記流路を閉じる体液量検知装置。
【請求項５】
請求項３記載の体液量検知装置において、
前記制御器が、前記第１の信号又は前記第２の信号の少なくとも一方に基づいて、ナースコールシステムに対して信号を出力する体液量検知装置。
【考案の詳細な説明】
【技術分野】
【０００１】
本考案は、体液量検知装置に関する。
【背景技術】
【０００２】
特許文献１には、患者の胸腔や腹腔などの体腔に溜まった血液などの体液を低圧持続吸引したときの吸引量を経時的、連続的に表示する吸引量表示装置が記載されている。この吸引量表示装置は、基台と、基台上に設けられ、吸引バッグ又は吸引バッグをセットした低圧持続吸引器を計量する計量部と、外部データを入力する入力部と、計量部から経時的に得られる所定時間毎の重量データに基づき必要情報を演算し、かつ重量データ及び／又は演算結果を記憶する演算部と、少なくとも吸引量のデータを表示する表示部とを有することを特徴としている。
【先行技術文献】
【特許文献】
【０００３】
【特許文献１】特開２００３−１１１８３３号公報
【考案の概要】
【考案が解決しようとする課題】
【０００４】
ここで一般に、腹水（体液）を抜きすぎると患者の負担となる場合がある。
本考案は、予め決められた量の体液が患者から抜かれたことを検知し、その後の処置への移行を容易にすることができる体液量検知装置を提供することを目的とする。
【課題を解決するための手段】
【０００５】
前記目的に沿う本考案に係る体液量検知装置は、患者からチューブを介して抜かれた体液が容器に溜まったことを検出するための第１のセンサと、
前記第１のセンサが出力した第１の信号に基づいてアラームを出力する制御器と、を備える。
【０００６】
本考案に係る体液量検知装置において、
前記第１のセンサが、前記容器の側面に取り付けられ前記体液の液面の高さを検出するレベルセンサであることが好ましい。
【０００７】
本考案に係る体液量検知装置において、
前記第１のセンサが前記容器に取り付けられていることを検出する第２のセンサを更に備え、
前記制御器が、前記第２のセンサが出力した第２の信号に基づいてアラームを出力することができる。
【０００８】
本考案に係る体液量検知装置において、
前記チューブの内部を流れる前記腹水の流路を開閉する開閉器を更に備え、
前記制御器が、前記第１の信号又は前記第２の信号の少なくとも一方に基づいて、前記開閉器を制御して前記流路を閉じることができる。
【０００９】
本考案に係る体液量検知装置において、
前記制御器が、前記第１の信号又は前記第２の信号の少なくとも一方に基づいて、ナースコールシステムに対して信号を出力することができる。
【考案の効果】
【００１０】
本考案によれば、予め決められた量の体液が患者から抜かれたことを検知し、その後の処置への移行を容易にすることができる体液量検知装置を提供できる。
【図面の簡単な説明】
【００１１】
【図１】本考案の一実施の形態に係る体腔液量検知装置の構成図である。
【考案を実施するための形態】
【００１２】
続いて、添付した図面を参照しつつ、本考案を具体化した実施の形態につき説明し、本考案の理解に供する。なお、図において、説明に関連しない部分は図示を省略する場合がある。
【００１３】
本考案の一実施の形態に係る体腔液量検知装置（体液量検知装置の一例）１０は、例えば病院の病室や処置室で使用され、図１に示す容器１２に予め決められた量の腹水（体腔液の一例）が溜まったことを検知することができる。腹水は、患者から延びるチューブＴを介して容器１２に溜められる。
なお、体腔液量検知装置１０は、胸水等の任意の体腔液が溜まったことを検知することが可能である。体腔液は、血液、浸出液、及び尿等の任意の体液であってもよい。
体腔液量検知装置１０は、レベルセンサ２０、脱落センサ２２、制御器２４、及びチューブクランプ２６を備えている。
【００１４】
レベルセンサ（第１のセンサの一例）２０は、容器１２に溜まった腹水の液面の高さを検出できる。レベルセンサ２０は、腹水の液面の高さが予め決められた量になると、第１の信号を出力する。
レベルセンサ２０は、センサケース２３の内部に収められる。このセンサケース２３は容器１２の外側側面に取り付けられる。
なお、第１のセンサは、腹水の液面の高さが予め決められた量になったことを検出できるセンサであれば任意でよい。第１のセンサの他の例として、近傍の媒体の誘電率、電界又は超音波の反射率等に基いて液体の存在を検出できるセンサが挙げられる。
【００１５】
脱落センサ（第２のセンサの一例）２２は、レベルセンサ２０が収められたセンサケース２３に収められ、センサケース２３の姿勢が予め決められた範囲にあること、すなわちレベルセンサ２０が容器１２に取り付けられていることを検出できる。
詳細には、脱落センサ２２は、レベルセンサ２０の傾きに応じて第２の信号を出力する。つまり、脱落センサ２２は、レベルセンサ２０の容器１２への取り付け状態が正常でない場合に第２の信号を出力できる。
なお、第２のセンサは、容器１２に取り付けられていることを検出できるセンサであれば任意でよい。第２のセンサの他の例として、マイクロスイッチ、Ｒｏｌｌｉｎｇ  Ｂａｌｌ型の傾きスイッチ、加速度による傾斜センサー、及び加速度センサー等が挙げられる。
【００１６】
チューブクランプ（開閉器の一例）２６は、チューブＴを挟むように取り付けられ、チューブＴの内部を流れる腹水の流路を開閉できる。
詳細には、チューブクランプ２６は、チューブＴを挟み込んで径方向に押し潰し、チューブＴを折り曲げることができ、腹水がチューブＴの内部を流れることを阻害する。従って、チューブクランプ２６が開いている場合には、腹水が患者から抜かれ、チューブクランプ２６が閉じている場合には、チューブＴが押し潰されて腹水が患者から抜かれなくなる。
チューブクランプ２６は、腹水の流路を開閉したことを検出する検出手段を有している。
なお、開閉器は、チューブＴの内部を流れる腹水の流量を制御できれば任意でよく、チューブクランプ２６に限定されるものではない。開閉器の他の例として、ソレノイド自体、ソレノイドとバネを用いたクランプ機構、モーターとネジ機構を用いたクランプ機構が挙げられる。
【００１７】
制御器２４は、内部にＣＰＵを有し、レベルセンサ２０が出力する第１の信号又は脱落センサ２２が出力する第２の信号に基づいて、アラームを出力したり、チューブクランプ２６の開閉動作を制御したり、ナースコールシステムに対して信号を出力したりすることができる。
制御器２４には、レベルセンサ２０、脱落センサ２２、及びチューブクランプ２６が、それぞれケーブルを介して接続されている。また、制御器２４は、ナースコールシステムにケーブルを介して接続される。
制御器２４には、乾電池（不図示）が取り付けられ、体腔液量検知装置１０は、この乾電池によって駆動される。体腔液量検知装置１０は、充電式電池パックや外部のＡＣアダプタ等によって駆動されてもよい。
【００１８】
次に、体腔液量検知装置１０の動作について説明する。なお、以下に示すステップは、可能な場合は、順番が入れ替わって実行されてもよいし、並行して実行されてもよい。
【００１９】
（ステップＳ１）
本ステップＳ１は、体腔液量検知装置１０を準備するステップである。
体腔液量検知装置１０を準備し、容器１２の側面にセンサケース２３を取り付ける。センサケース２３の取り付け高さは、腹水の量に基づいて決定される。また、チューブクランプ２６をチューブＴに取り付ける。更にケーブルを介して制御器２４をナースコールシステムに接続する。
【００２０】
（ステップＳ２）
本ステップＳ２は、体腔液量検知装置１０の電源を投入した後、異常がないことを確認するステップである。
制御器２４の電源スイッチＳＷをＯＮにする。電源投入後、脱落センサ２２が出力する第２の信号が予め決められた大きさの正常値の範囲にない場合には、例えば、センサケース２３が容器から外れている場合等の理由によりセンサケース２３の姿勢が予め決められた範囲になく、取り付け状態に問題があると判断され、制御器２４は、ブザーを鳴動させるとともに動作中ランプＬＥＤ２を点滅させることによりアラームを出力する。
また、電源投入後にもかかわらずチューブクランプ２６が閉じている場合には、チューブクランプ２６の取り付け状態が不良であると判断され、制御器２４は、ブザーを鳴動させるとともに腹水検知ランプＬＥＤ１を点滅させることによりアラームを出力する。
異常がない場合には、制御器２４は、動作中ランプＬＥＤ２を点灯させる。
【００２１】
（ステップＳ３）
本ステップＳ３は、前ステップＳ２にて異常がないことを確認した後、予め決められた量の腹水が容器１２に溜まったことを検知するステップである。
患者から腹水を抜き、容器１２に予め決められた量の腹水が溜まると、レベルセンサ２０が第１の信号を出力する。第１の信号が出力されると、制御器２４は、ブザーを鳴動させるとともに腹水検知ランプＬＥＤ１を点滅させることによりアラームを出力する。
なお、腹水を抜いている間に脱落センサ２２が出力する第２の信号に基づいてセンサケース２３が容器１２から脱落したと判断された場合には、制御器２４は、ブザーを鳴動させるとともに動作中ランプＬＥＤ２を点滅させることによりアラームを出力する。
【００２２】
制御器２４はこれらいずれかのアラームを出力すると、チューブクランプ２６を閉じて腹水を抜くことを中断する。また制御器２４は、ナースコールシステムに対して信号を出力し、予め決められた量の腹水が溜まったこと又はセンサーケース２３が脱落したことを知らせることができる。
なお、内蔵する乾電池（不図示）の電圧が予め設定された大きさより低下した場合には、制御器２４はブザーを鳴動させるとともに電圧低下ランプＬＥＤ３を点灯させることにより電圧低下アラームを出力する。ただし、この電圧低下アラームのみによって、制御器２４はチューブクランプ２６を閉じることはない。
【００２３】
以上説明したように、体腔液量検知装置１０は、予め決められた量の腹水が患者から抜かれたことを検知して知らせることができるので、患者から腹水を抜きすぎてしまうことが抑制される。
【００２４】
以上、本考案の実施の形態を説明したが、本考案は、上記した形態に限定されるものでなく、要旨を逸脱しない条件の変更等は全て本考案の適用範囲である。
状況によっては、開閉器（チューブクランプ）は使用されない場合もある。また、制御器がナースコールシステムに接続されない場合もある。
【符号の説明】
【００２５】
１０  体腔液量検知装置
１２  容器
２０  レベルセンサ
２２  脱落センサ
２３  センサケース
２４  制御器
２６  チューブクランプ
ＬＥＤ１  腹水検知ランプ
ＬＥＤ２  動作中ランプ
ＬＥＤ３  電圧低下ランプ
ＳＷ  電源スイッチ
Ｔ  チューブ
【図１】
0003211034.tif 000003
【手続補正書】
【提出日】平成29年4月23日(2017.4.23)
【手続補正１】
【補正対象書類名】実用新案登録請求の範囲
【補正対象項目名】全文
【補正方法】変更
【補正の内容】
【実用新案登録請求の範囲】
【請求項１】
患者からチューブを介して抜かれた体液が容器に溜まったことを検出するための第１のセンサと、
前記第１のセンサが出力した第１の信号に基づいてアラームを出力する制御器と、を備えた体液量検知装置。
【請求項２】
請求項１記載の体液量検知装置において、
前記第１のセンサが、前記容器の側面に取り付けられ前記体液の液面の高さを検出するレベルセンサである体液量検知装置。
【請求項３】
請求項２記載の体液量検知装置において、
前記第１のセンサが前記容器の予め決められた位置に取り付けられていることを検出する第２のセンサを更に備え、
前記制御器が、前記第２のセンサが出力した第２の信号に基づいてアラームを出力する体液量検知装置。
【請求項４】
請求項３記載の体液量検知装置において、
前記チューブの内部を流れる前記体液の流路を開閉する開閉器を更に備え、
前記制御器が、前記第１の信号又は前記第２の信号の少なくとも一方に基づいて、前記開閉器を制御して前記流路を閉じる体液量検知装置。
【請求項５】
請求項３記載の体液量検知装置において、
前記制御器が、前記第１の信号又は前記第２の信号の少なくとも一方に基づいて、ナースコールシステムに対して信号を出力する体液量検知装置。
【手続補正２】
【補正対象書類名】明細書
【補正対象項目名】０００８
【補正方法】変更
【補正の内容】
【０００８】
本考案に係る体液量検知装置において、
前記チューブの内部を流れる前記体液の流路を開閉する開閉器を更に備え、
前記制御器が、前記第１の信号又は前記第２の信号の少なくとも一方に基づいて、前記開閉器を制御して前記流路を閉じることができる。